(57)【要約】      （修正有）【課題】脚立作業を容易に行えるようにした補助足場を提供する。【解決手段】縦断面四角形状又は縦断面コ字形状をなし、閉じた脚立の前脚と後脚の間隔と等しい幅を有し、脚立前脚に取付けられて前脚の踏み桟とともに足載せ用の広幅の作業足場を構成し得る補助桟１１と、補助桟の両側端から下方に延び、前脚への取付け状態にて前脚脚部に押し付けられて補助桟の受ける荷重を前脚の脚部に逃がす補強脚１２と、補助桟の端部と補強脚の端部との間に固定され、取付け穴１３Ａが形成された取付け板１３と、先端にフック１４Ａが形成され、該フックが前記前脚の踏み桟に係止され、後端側が取付け板の取付け穴に挿通されるねじ棒１４と、先端フックが前脚の踏み桟に係止されねじ棒の後端側が取付け板の取付け穴に挿通された状態にてねじ棒に螺合され締付けられることによって補助桟及び補強脚を前脚に取付ける雌ねじ１５と、を備える。【選択図】図１
0003225320.tif 000002
【実用新案登録請求の範囲】
【請求項１】
脚立の踏み桟に取付けられて作業時において広幅の作業足場を構成し得る補助足場であって、
縦断面四角形状又は縦断面コ字形状をなし、閉じ状態の上記脚立の前脚と後脚の間の間隔と等しい幅を有し、上記脚立の前脚に取付けられて該前脚の踏み桟とともに足載せ用の広幅の作業足場を構成し得る補助桟と、
上記補助桟の両側端から上記前脚の左右の脚部に沿って下方に延び、上記前脚への取付け状態にて上記前脚の脚部に押付けられることによって上記補助桟の受ける荷重を上記前脚の脚部に逃がす補強脚と、
板状をなし、上記補助桟の端部と上記補強脚の端部との間に固定され、取付け穴が形成された取付け板と、
先端にフックが形成され、該フックが上記前脚の踏み桟に係止され、後端側が上記取付け板の取付け穴に挿通されるねじ棒と、
上記先端フックが上記前脚の踏み桟に係止され上記ねじ棒の後端側が上記取付け板の取付け穴に挿通された状態にて上記ねじ棒に螺合され締付けられることによって上記補助桟及び補強脚を上記前脚に取付ける雌ねじと、
を備えたことを特徴とする脚立用補助足場。
【請求項２】
上記補強脚が横断面コ字状をなしている請求項１記載の脚立用補助足場。
【請求項３】
上記取付け板は帯状金属板の両端を一対のＬ字状金属板に固定して構成され、上記帯状金属板に取付け穴が穿設され、該取付け穴にフックを有するねじ棒が挿通されて蝶ねじが螺合されている一方、上記Ｌ字金属板は上記補強脚に固定されるようになっている請求項１記載の脚立用補助足場。
【考案の詳細な説明】
【技術分野】
【０００１】
本考案は脚立用補助足場に関し、特に脚立を使用した高所作業における足場の安定性を大幅に向上した補助足場に関する。
【背景技術】
【０００２】
高所作業を行う場合、梯子や脚立が使用されることがあるが、脚立は踏み桟が狭幅の横桟となっていることから、作業者が作業姿勢を長い時間保つのに疲れやすく、作業効率が悪い。
【０００３】
他方、丸棒製アームの先端部にフックを形成し、フックを踏み桟に掛けた時に一段下の踏み桟近傍に踏み板を位置させる一方、一段下の踏み桟とさらに一段下の踏み桟の間に足置き棒を位置させ、足置き棒に片足を載せてもう一方の片足を上段の踏み桟に載せ、足置き棒側の片足で広幅の踏み板を折り畳み状態から足置き状態に回動させ、踏み板に両足を載せて高所作業ができるようにした梯子用補助足場が提案されている（特許文献１）。
【０００４】
しかし、梯子用足補助足場ではこれを脚立に使用しようとすると、作業員が踏み板に載った時に脚立の前後のバランスがくずれるおそれがあった。
【０００５】
これに対し、踏み板の両側端から支持脚を下方に延設し、踏み板の中間と支持脚との間に補強アームを設ける一方、踏み板の前端と支持脚との間に係止アームを設け、係止アームの取付け穴にねじ棒を挿通し、ねじ棒の先端フックを前脚の左右の脚部間に踏み桟に係止させ、ねじ棒の後端側雌ねじを締め付けて脚立の前脚に取付けるようにした脚立用補助足場が提案されている（特許文献２）。
【先行技術文献】
【特許文献】
【０００６】
【特許文献１】特開２００７−３２１３３号公報
【特許文献２】実用新案登録第３１９９４３９号公報
【考案の概要】
【考案が解決しようとする課題】
【０００７】
しかし、特許文献２記載の脚立用補助足場では女性や老人など、筋力の弱い作業者が容易に持ち運べて取り扱えるように軽量にする必要があったが、安全性の観点から高い強度を確保できるように肉厚の材料を用いているので、例えば踏み板に溝を形成することによって軽量化を図っているものの、女性や老人には依然として重かった。
【０００８】
本考案はかかる問題点に鑑み、女性や老人にも容易に持ち運べて容易に取り扱えるようにした脚立用補助足場を提供することを課題とする。
【課題を解決するための手段】
【０００９】
そこで、本考案に係る脚立用補助足場は、脚立の踏み桟に取付けられて作業時において広幅の作業足場を構成し得る補助足場であって、縦断面四角形状又は縦断面コ字形状をなし、閉じ状態の上記脚立の前脚と後脚の間の間隔と等しい幅を有し、上記脚立の前脚に取付けられて該前脚の踏み桟とともに足載せ用の広幅の作業足場を構成し得る補助桟と、上記補助桟の両側端から上記前脚の左右の脚部に沿って下方に延び、上記前脚への取付け状態にて上記前脚の脚部に沿うことによって上記補助桟の受ける荷重を上記前脚の脚部に逃がす補強脚と、板状をなし、上記補助桟の端部と上記補強脚の端部との間に固定され、取付け穴が形成された取付け板と、先端にフックが形成され、該フックが上記前脚の踏み桟に引っ掛けられて係止され、後端側が上記取付け板の取付け穴に挿通されるねじ棒と、上記先端フックが上記前脚の踏み桟に係止され上記ねじ棒の後端側が上記取付け板の取付け穴に挿通された状態にて上記ねじ棒に螺合され締付けられることによって上記補助桟及び補強脚を上記前脚に取付ける雌ねじと、を備えたことを特徴とする。
【００１０】
本考案の特徴の１つは補助桟を縦断面四角形状又は縦断面コ字形状に形成するようにした点にある。
これにより、補助桟自体を構造的に高い強度にすることができ、肉厚の金属材料を用いる必要もなく、軽量化を図ることができる。その結果、女性や老人など、筋力の弱い作業者にも容易に持ち運べて容易に取り扱えることができる。
【００１１】
補強脚は横断面コ字状に製作すると、高い強度を確保することができる。また、取付け板は帯状金属板の両端をＬ字状金属板に固定して構成し、帯状金属板には取付け穴を穿設し、取付け穴にフックを有するねじ棒を挿通して蝶ねじを螺合させる一方、Ｌ字金属板を補強脚に固定するようにするのがよい。
【図面の簡単な説明】
【００１２】
【図１】本考案に係る脚立用補助足場の好ましい実施形態を示す斜視図である。
【図２】上記実施形態において補助足場を取付けた脚立を開放した状態を示す斜視図である。
【図３】上記実施形態において補助足場を取付けた脚立を閉じた状態を示す斜視図である。
【図４】上記実施形態における取付け板及びねじ棒の組立て前の状態（ａ）及び組立て後の状態（ｂ）を示す図である。
【考案を実施するための形態】
【００１３】
以下、本考案を図面に示す具体例に基づいて詳細に説明する。図１ないし図３は本考案に係る脚立用補助足場の好ましい実施形態を示す。図において、本例の補助足場１０は補助桟１１及び補強脚１２とが設けられ、補助桟１１は金属材料を用いて縦断面四角形状に製作され、補助桟１１の幅は脚立２０の前脚（足を掛ける側の脚）２１と後脚（反対側の脚）２２を閉じたときの前脚２１と後脚２２との間の間隔にほぼ等しい寸法ａに形成されている。
【００１４】
この補助桟１１の両側端には補強脚１２が固定され、補強脚１２はアルミ系金属材料を用いて横断面コ字形状に製作され、補強脚１２の幅は補助桟１１の幅とほぼ等しくなっている。
【００１５】
補助桟１１の両側端部後端面と補強脚１２の後端面との間には取付け板１３が固定され、取付け板１３は金属材料を用いて製作され、取付け板１３には取付け穴１３Ａが形成されている。
【００１６】
取付け板１３の取付け穴１３Ａにはねじ棒１４が挿通され、ねじ棒１４の後端側には蝶ねじ１５が螺合され、ねじ棒１４の先端にはＵ字状のフック１４Ａが固定されている。
ここで、図４に示されるように、取付け板１３は帯状金属板１３Ｂの両端をＬ字状金属板１３Ｃに溶接して構成され、帯状金属板１３Ｂに取付け穴１３Ａが穿設され、取付け穴１３Ａにフック１４Ａを有するねじ棒１４が挿通されて蝶ねじ１５が螺合され、又Ｌ字金属板１３Ｂは補強脚１２に固定されている。
【００１７】
他方、脚立２０は前脚２１及び後脚２２から構成され、前後の脚２１、２２は左右の脚部２４の間に踏み桟２５を上下に間隔をあけて固定して構成され、前後の脚２１、２２はその上端で蝶番２６によって開閉自在に連結され、前脚２１と後脚２２一対の脚部２４の上部の間に連結アーム２７が折り曲げ可能に取付けられ、前脚２１と後脚２２が開かれた状態で連結アーム２７が真っ直ぐに伸びて前脚２１と後脚２２を開かれた状態に保持するようになっている。
【００１８】
補助足場１０を脚立２０に取付ける場合、左右のねじ棒１４のフック１４Ａを足をかけようとする踏み桟２５に引っ掛け、蝶ねじ１５を締付けると、左右のフック１４Ａが踏み桟２５に強く引き寄せられ、補助足場１０は踏み桟２５に締結される。
【００１９】
この状態では補助足場１０の補強脚１２は前脚２１の脚部２４に強く押し付けられ、又は補助足場１０の補助桟１１は踏み桟２５に沿って並び、広幅の作業足場を構成することとなるので、脚立２０を拡げると、連結アーム２７が真っ直ぐに伸びて脚立２０を開いた状態にロックし、作業者は広幅の作業足場に足をかけて安定にかつ楽な姿勢で作業を行うことができる。
【００２０】
広幅の足場に作業者の体重が加わると、その荷重は補強脚１２から前脚２１の脚部２４に伝わって分散されるので、補助足場１０の強度を保証できる。
【００２１】
作業が済むと、連結アーム２７を上方に押し上げ、脚立２０のロックを解除し、前後の脚２１、２２を閉じればよい。
【００２２】
このとき、補助足場１０は閉じた前後の脚２１、２２の間隔以下であるので、補助足場１０が脚立２０の扱いの邪魔になることはない。
【００２３】
以上のように、補助桟１１を縦断面四角形状に形成し、補強脚１２を横断面コ字状に形成するようにしたので、補助桟１１及び補強脚１２を構造的に高い強度にすることができ、肉厚の金属材料を用いる必要がなく、全体として軽量にできるので、女性や老人など、筋力の弱い作業者にも容易に持ち運べて容易に取り扱えることができる。
【符号の説明】
【００２４】
１０          補助足場
１１          踏み桟
１２          補強脚
１３          取付け板
１４          ねじ棒
１４Ａ        フック
１５          蝶ねじ
２０        脚立
２１        前脚
２２        後脚
【図１】
0003225320.tif 000003
【図２】
0003225320.tif 000004
【図３】
0003225320.tif 000005
【図４】
0003225320.tif 000006